(57)【要約】【課題】  建物屋根やベランダなど、コンクリートや金属板からなる躯体上に断熱材が配置されて一定方向に傾斜した面が形成された被防水施工面に使用されるものであって、その施工の際に選定間違いを減らすことができる断熱防水施工用固定具を提供する。【解決手段】  断熱防水施工用固定具の頭部外縁から躯体へのねじ込み深さに相当する長さにかけて、外周に着色樹脂層を被覆する。さらには、着色樹脂層の表示色を、断熱防水施工用固定具の長さによって異なるものとする。【選択図】  図１
2006322174.tif 000002
【特許請求の範囲】
【請求項１】
頭部外縁から躯体へのねじ込み深さに相当する長さにかけて、外周に着色樹脂層が被覆されたことを特徴とする断熱防水施工用固定具。
【請求項２】
前記着色樹脂層の表示色が、断熱防水施工用固定具の長さによって異なるものとすることを特徴とする請求項１に記載の断熱防水施工用固定具。
【発明の詳細な説明】
【技術分野】
【０００１】
この発明は、建物屋根やベランダなど、コンクリートや金属板などからなる躯体上に断熱材が配置されて、一定方向に傾斜した面が形成された被防水施工面に使用される断熱防水施工用固定具に関する。さらに詳しくは、施工の際に選定間違いを減らすことができる断熱防水施工用固定具に関する。
【背景技術】
【０００２】
建物屋根やベランダなど、コンクリートや金属板などからなる躯体上には、例えば図４に示すように、一方向に傾斜を設けた断熱材５ａと平板状の断熱材５ｂを各種重ね合わせ、それらを並列に敷き並べることで、一定方向に傾斜した被防水施工面Ｍを形成することがある。被防水施工面Ｍの所要箇所には防水シート用接合板３が配置されて、固定具２１によって押え止められる。防水シート用接合板３上には防水シート４が敷設され、その当接部が溶剤溶着や熱融着によって接合される。
【０００３】
固定具２１は、頭部と軸部を有したねじや釘からなり、頭部が防水シート用接合板３の表面を押え止めるとともに、軸部が断熱材５を貫通して、躯体６に所定の深さでもって固着される。（特許文献１）
【０００４】
このような断熱防水施工構造においては、被防水施工面Ｍが傾斜したものとなっているため、それぞれの箇所に応じて、長さの異なった固定具２１（２１１、２１２）が使い分けられている。例えば、水下など断熱材の薄い箇所には短い固定具２１１、水上など断熱材の厚い箇所には長い固定具２１２などである。その種類は、形成される被防水施工面Ｍの傾斜角や面積などにもよるが、２〜１０種類ほどであるのが一般的である。
【０００５】
このような長さの異なる固定具２１の選定は、設計書の指示によってなされるが、その選定が間違いないかどうかは、図５に示すように、固定具２１を一旦断熱材５に貫通させて、その先端を躯体６面に突き当てた状態で、防水シート用接合板３の上に突出している固定具２１の長さＡを測って適正な長さであるかどうかを、つまりその長さＡが躯体へのねじ込み深さに相当する長さ以上あるかどうかを確認することで行っている。そして、間違いがなければ、引き続き固定具２１をねじ込んで、躯体６に固着させることとなる。
【特許文献１】特開平８−３３３８４９
【発明の開示】
【発明が解決しようとする課題】
【０００６】
しかしながら、このような固定具の長さを測る作業は煩雑であり、さらに本数が多くなれば、測定間違いも起こしやすいものであった。また、誤って指定長さより短いものを選定し、それをねじ込んだ場合には、ねじ込み深さが浅すぎることとなり、例えば上方に敷設された防水シートが、突風を受け、浮き上がり現象を起こしたなどの際に、防水シート用接合板とともに固定具が引き抜かれ、漏水につながる恐れがあった。
【０００７】
そこで、この発明は、建物屋根やベランダなど、コンクリートや金属板からなる躯体上に断熱材が配置されて一定方向に傾斜した面が形成された被防水施工面に使用されるものであって、その施工の際に選定間違いを減らすことができる断熱防水施工用固定具を提供することを目的とする。
【課題を解決するための手段】
【０００８】
上記の課題に対して、発明者は、固定具の頭部外縁から躯体へのねじ込み深さに相当する長さにかけて、その外周に着色樹脂層を被覆することによって、その固定具が選定間違いを減らすことができるものとなることを見出した。すなわち、請求項１に記載の発明は、頭部外縁から躯体へのねじ込み深さに相当する長さにかけて、外周に着色樹脂層が被覆されたことを特徴とする断熱防水施工用固定具を要旨とする。
【０００９】
また、着色樹脂の表示色を、固定具の長さによって異なるものとすることで、固定具のねじ込み後においても、固定具の選定間違いを容易に見つけ出し、より信頼性の高い断熱防水施工構造を提供することができることを見出した。すなわち、請求項２に記載の発明は、前記着色樹脂層の表示色が、断熱防水施工用固定具の長さによって異なるものとすることを特徴とする請求項１に記載の断熱防水施工用固定具を要旨とする。
【発明の効果】
【００１０】
請求項１に記載の断熱防水施工用固定具は、頭部外縁から躯体へのねじ込み深さに相当する長さにかけて、外周に着色樹脂層が被覆されているため、作業者が固定具の軸部を断熱材に貫通させて先端を躯体に突き当てた後、防水シート用接合板上に突き出た部分をみて、そこに着色樹脂層の全部が見えるかどうかを確認するだけで、躯体へのねじ込み深さの適正判定ができるため、固定具の選定間違いを減らすことができる。また、着色樹脂層が頭部外縁から躯体へのねじ込み深さに相当する長さにかけて被覆されているため、作業者に対する視認性も高いものとなる。
【００１１】
請求項２に記載の断熱防水施工用固定具は、着色樹脂層の表示色がそれぞれの固定具の長さによって異なるため、ねじ込み後においても、防水シート接合片と固定具の頭部外縁との隙間に見える着色樹脂層の表示色を確認するだけで、指定された固定具が間違いなくねじ込まれているか容易に把握でき、より信頼性の高い断熱防水施工構造を提供することができる。
【発明を実施するための最良の形態】
【００１２】
以下、添付図面に基づいて、詳細に説明する。
【００１３】
図１は、本発明にかかる長さの異なる２種類の防水施工用固定具１、１１の断面図を示したものである。
【００１４】
防水施工用固定具１、１１は、頭部１ａ、１１ａと軸部１ｂ、１１ｂとからなり、頭部外縁１ｃ、１１ｃから躯体へのねじ込み深さに相当する長さＬにかけて、外周に着色樹脂層２、１２が被覆されている。頭部１ａ、１１ａについては、頂面が平坦で、かつ座面が円錐状となった皿状のものを示しているが、その形状はこれに制限されることなく各種のものが適用できる。例えば、半球状をした丸ねじタイプのものであってもよい。また、軸部１ｂ、１１ｂについてはねじ状のものを示しているが、これについてもその形状に制限はなく、例えば打ち込み用の釘に代表される棒状のものであってもよい。
【００１５】
着色樹脂層２、１２は、合成樹脂に色剤とその他必要に応じて各種添加剤が配合されてなるものである。ここで、長さの異なる２種類の防水施工用固定具１、１１においては、着色樹脂層２、１２の表示色は、それぞれ異なった表示色とするのが好ましい。こうすることで、ねじ込み後においても、着色樹脂層２、１２の表示色を確認するだけで、指示通りの固定具が打ち込まれているか、すなわちその固定具の選定が正しいものであったかどうかを確認することができるためである。なお、図１には、長さの異なる２種類の防水施工用固定具１、１１を示したが、その種類には制限はなく、着色樹脂層２、１２の表示色もそれぞれに異なったものとすることが好ましい。
【００１６】
着色樹脂層２、１２を構成する合成樹脂としては、例えば、塩化ビニル系樹脂、塩素化ポリエチレン樹脂、塩素化塩化ビニル樹脂、ポリエチレンやポリプロピレンなどのオレフィン系樹脂、エチレン−プロピレン系エラストマー、エチレン−酢酸ビニル樹脂共重合体（ＥＶＡ樹脂）などの酢酸ビニル系樹脂、アクリル酸エステルなどのアクリル系樹脂などの熱可塑性樹脂、ポリエステル系、エポキシ系、フェノール系などの熱硬化性樹脂、天然ゴム、スチレンゴム、ブチレンゴム、ブタジエンゴム、イソブレンゴム、アクリルゴム、ニトリルゴムなどのゴム組成物などが適用できる。
【００１７】
色剤としては、酸化チタン、カーボンブラックなどに代表される無機系顔料の他、有機系顔料、染料などが制限なく適用できる。
【００１８】
着色樹脂層２、１２の防水施工用固定具１、１１の外周への被覆方法としては、着色樹脂層２、１２を構成する樹脂組成物に溶剤を加えて溶剤系塗料とするか、または、エマルジョン系の樹脂を用いて水系の樹脂組成物とし、刷毛やスプレーなどを用いて塗布する方法が採用できる。また、とくに合成樹脂が塩化ビニル樹脂の場合には、塩化ビニル樹脂を塩ビペーストレジンとし、それを可塑剤に分散させペーストゾル状にして、浸漬法などによって被覆する方法が採用できる。
【００１９】
本発明において、着色樹脂層２、１２が被覆される外周領域は、防水施工用固定具１、１１の頭部外縁１ｃ、１１ｃから躯体へのねじ込み深さに相当する長さＬにかけての部分である。この長さＬは、躯体の種類や、求められる防水施工面の耐久性などによって決められる。なお、本発明でいう躯体とは、コンクリート、軽量発泡コンクリート（ＡＬＣ）、ポーラスコンクリートが代表的なものとしてあげられ、また、コンクリート以外のものして、金属屋根や瓦棒葺き屋根などの下地となる金属板などがあげられる。
【００２０】
防水施工用固定具１、１１の長さＬにかけての具体的な被覆方法は、例えば、着色樹脂層２、１２における長さＬより外れる部分をマスキング紙やマスキングフィルムなどでマスキングした上で、外周全面を刷毛やスプレーなどで塗布する方法があげられる。または、塩化ビニル樹脂の場合には、塩ビペーストゾルを塗料缶などに長さＬの深さとなるように入れておき、そこに防水施工用固定具１、１１を、頭部１ａ、１１ａの頂面を底面に当接するように浸漬して被覆する方法があげられる。そのとき、着色樹脂層２、１２の密着性を上げるために、予め、長さＬにかけての外周に、プライマー処理しておくことが好ましい。
【００２１】
着色樹脂層２、１２の被覆厚さについては、０．１ｍｍ〜２．０ｍｍが好ましい。０．１ｍｍ厚さ未満では、被着対象となる固定具の外周に十分に被覆できない場合があり、２．０ｍｍ厚さ超過では、必要以上に厚みが厚すぎとなり、着色樹脂層２，１２を打ち込みやねじ込みによって固着する際、剥離しやすくなるなど作業性に支障が生じる場合があるからである。
【００２２】
上記のようにして頭部外縁１ｃ、１１ｃから躯体へのねじ込み深さに相当する長さＬにかけて、外周に着色樹脂層２、１２が被覆された防水施工用固定具１、１１は、例えば、つぎに示す方法で躯体へ固着され、防水施工される。その方法を図２および図３に基づいて説明する。
【００２３】
まず、図２に示すように、略平坦な躯体６上に、一方向に傾斜を設けた傾斜断熱材５ａと平板状の板状断熱材５ｂを各種重ね合わせ、それらを並列に敷き並べ、一定方向に傾斜した被防水施工面Ｍを形成する。
【００２４】
そして、その被防水施工面Ｍにおける水下部Ｍａ、中央部Ｍｂ、水上部Ｍｃのそれぞれの箇所にディスク状の樹脂被覆鋼板からなる防水シート用接合板３を配置する。
【００２５】
つぎに、水下部Ｍａに配置された防水シート用接合板３に対しては、長さの短い防水施工用固定具１を選定する。次いで、中央部Ｍｂ、および水上部Ｍｃに配置された防水シート用接合板３に対しては、長さの長い防水施工用固定具１１を選定する。ここで防水施工用固定具１、１１に被覆された着色樹脂層２、１２は、それぞれ表示色が異なったものとする。
【００２６】
つぎに、防水施工用固定具１、１１を、断熱材５を貫通させて、その先端を躯体６面に突き当てた状態とする。そして、防水シート用接合板３上に突き出ている防水施工用固定具１、１１をみて  その外周に被覆された着色樹脂層２、１２の全部が見えるかを確認する。全部が見えていれば、その防水施工用固定具１、１１は、躯体へのねじ込み深さより深く沈み込むものとして、間違いなく選定されたものだと確認される。一方、着色樹脂層２、１２の全部が見えずに、防水シート用接合板３側に入り込んでいれば、それは躯体６へのねじ込み深さより浅く沈み込むものとして、適正に選定されていないものだと判定される。
【００２７】
このようにして、適正と確認された後には、図３に示すように、それぞれの防水施工用固定具１、１１をねじ込んで、防水シート用接合板３を押え止める。そして、その上から防水シート４を敷設して、防水シート用接合板３と防水シート４との当接部を溶剤溶着や熱融着により接合して、防水施工を完了する。
【００２８】
上記のように、本発明によれば、着色樹脂層が被覆された部分の全部が見えるか否かを目視するだけで、躯体へのねじ込み深さの適正判定ができるため、固定具の選定間違いを減らすことができる。
【００２９】
また、防水施工用固定具の長さによって着色樹脂層の表示色を変えておけば、ねじ込み後においても防水シート接合片と固定具の頭部外縁との隙間に見える着色樹脂層の表示色を確認するだけで、指示通りの箇所に正しい長さの固定具が打ち込まれているか、すなわちその固定具の選定が正しいものであったかどうかを確認することができるため、より信頼性の高い断熱防水施工構造を提供することができる。
【図面の簡単な説明】
【００３０】
【図１】本発明にかかる断熱防水施工用固定具を示す断面図である。
【図２】本発明にかかる断熱防水施工用固定具の躯体への固着方法を説明するための断面図である。
【図３】本発明にかかる断熱防水施工用固定具の躯体への固着方法を説明するための断面図である。
【図４】従来の固定具を用いてなされた断熱防水施工構造を示す斜視図である。
【図５】従来の固定具の選定方法を説明するための断面図である。
【符号の説明】
【００３１】
１  １１  断熱防水施工用固定具
１ａ  １１ａ  頭部
１ｂ  １１ｂ  軸部
１ｃ  １１ｃ  頭部外縁
２  着色樹脂層
３  防水シート用接合板
４  防水シート
５  断熱材
５ａ  傾斜断熱材
５ｂ  板状断熱材
６  躯体
Ｍ  被防水施工面
Ｍａ  水下部
Ｍｂ  中央部
Ｍｃ  水上部
Ｌ  躯体へのねじ込み深さに相当する長さ
【図１】
2006322174.tif 000003
【図２】
2006322174.tif 000004
【図３】
2006322174.tif 000005
【図４】
2006322174.tif 000006
【図５】
2006322174.tif 000007